(57)【特許請求の範囲】
【請求項１】
室内の空気を吸気口から吸引して送風する送風手段と、送風手段が送風する送風経路中に設けた吸着材と、吸着材を再生加熱する再生加熱手段と、乾燥空気を室内に戻す第１の排気管と、再生加熱時の多湿の空気を機外に放出する第２の排気管と、前記吸着材通過後の空気を、吸着モード時には前記第１の排気管に、再生モード時には前記第２の排気管にそれぞれ切り換える吸着・再生経路切換弁と、制御手段とを備え、前記制御手段は、複数の吸着モードと再生モードを繰り返す除湿運転中に、前記再生加熱手段への通電時間または通電容量またはこの両方を複数の再生モード時毎に徐々に減少させる除湿装置。
【請求項２】
室内空気の温湿度を検知する第１の検知手段を備え、制御手段は、除湿運転の開始時は前記第１の検知手段の検知温湿度に応じて再生加熱手段への通電時間・通電容量の初期値を決めると共に、除湿運転中には前記第１の検知手段の検知温湿度に応じて再生加熱手段への通電時間または通電容量またはこの両方を徐々に減少させる請求項１記載の除湿装置。
【請求項３】
室内空気の温湿度を検知する第１の検知手段と、吸着材を通過した後の空気の温湿度を検知する第２の検知手段を備え、制御手段は、除湿運転の開始時は前記第１の検知手段の検知温湿度に応じて再生加熱手段への通電時間・通電容量の初期値を決めると共に、除湿運転中には前記第１の検知手段と前記第２の検知手段の両方の検知温湿度に応じて前記再生加熱手段への通電時間または通電容量またはこの両方を徐々に減少させる請求項１記載の除湿装置。
【発明の詳細な説明】
【０００１】
【発明の属する技術分野】
本発明は、室内空気の除湿に使用する吸着材を用いた除湿装置に関するものである。
【０００２】
【従来の技術】
室内の空気を除湿するために、例えばクーラーやエアコンが使用されている。クーラーやエアコンは、冷媒ガスの蒸発の際に室内の空気から蒸発熱を奪って冷却し、空気中の水分を凝縮水として除去することによって除湿しているものである。
【０００３】
最近、冷媒ガスを用いずに吸着材に空気中の水分を吸着させて乾燥空気を得るというように、吸着材を使用した除湿装置が開発されている。
【０００４】
【発明が解決しようとする課題】
前記従来の吸着材を用いた除湿装置は、除湿機能が効率的でないという課題を有している。つまり、吸着材は所定量の水分を吸着すると活性が低下して吸着能力が落ちるため、所定時間毎に活性化する必要がある。この活性化は再生加熱手段を一定容量で一定時間通電して行っているものである。すなわち、室内空気の温湿度は刻々と変化するにもかかわらず、再生加熱手段を一定条件で通電しているものであり、この変化を無視した効率の悪い運転を行っているものである。
【０００５】
【課題を解決するための手段】
本発明は、複数の吸着モードと再生モードを繰り返す除湿運転中に、再生加熱手段への通電時間または通電容量またはこの両方を複数の再生モード時毎に徐々に減少させるものである。
【０００６】
【発明の実施の形態】
請求項１に記載した発明は、室内の空気を吸気口から吸引して送風する送風手段と、送風手段が送風する送風経路中に設けた吸着材と、吸着材を再生加熱する再生加熱手段と、乾燥空気を室内に戻す第１の排気管と、再生加熱時の多湿の空気を機外に放出する第２の排気管と、前記吸着材通過後の空気を、吸着モード時には前記第１の排気管に、再生モード時には前記第２の排気管にそれぞれ切り換える吸着・再生経路切換弁と、制御手段とを備え、前記制御手段は、複数の吸着モードと再生モードを繰り返す除湿運転中に、前記再生加熱手段への通電時間または通電容量またはこの両方を複数の再生モード時毎に徐々に減少させるものであり、効率的な運転ができ、吸着材の耐久性も向上できる除湿装置としている。
【０００７】
請求項２に記載した発明は、室内空気の温湿度を検知する第１の検知手段を備え、制御手段は、除湿運転の開始時は前記第１の検知手段の検知温湿度に応じて再生加熱手段への通電時間・通電容量の初期値を決めると共に、除湿運転中には前記第１の検知手段の検知温湿度に応じて再生加熱手段への通電時間または通電容量またはこの両方を徐々に減少させるものであり、室内空気の温湿度に合わせた効率の良い運転が行え、さらに除湿運転の自動終了も可能な除湿装置としている。
【０００８】
請求項３に記載した発明は、室内空気の温湿度を検知する第１の検知手段と、吸着材を通過した後の空気の温湿度を検知する第２の検知手段を備え、制御手段は、除湿運転の開始時は前記第１の検知手段の検知温湿度に応じて再生加熱手段への通電時間・通電容量の初期値を決めると共に、除湿運転中には前記第１の検知手段と前記第２の検知手段の両方の検知温湿度に応じて前記再生加熱手段への通電時間または通電容量またはこの両方を徐々に減少させるものであり、除湿装置内の温度上昇にも対応した安全で効率的な除湿装置としている。
【０００９】
【実施例】
（実施例１）
以下、本発明の第１の実施例について図面を参照して説明する。図１は本実施例の構成を示す側断面図である。除湿装置の本体１（以下単に本体１と称する）内には、室内の空気を吸気口３から吸気し送風する送風手段４と、送風手段４が送風する送風経路５を構成する風胴を設けている。送風経路５内には、シリカゲルまたはゼオライト等を使用した吸着材６と、吸着材６の上流側に設けた、吸着材６を活性化するための再生加熱手段７と、吸着材６の下流側に設けた、乾燥空気を室内に戻す第１の排気管８と、送風手段４が送風する空気を機外に放出する第２の排気管９と、第１の排気管８と第２の排気管９とを選択的に開閉する吸着・再生経路切換弁１０と、制御手段１１とを備えている。制御手段１１は、再生加熱手段７、吸着・再生経路切換弁１０等を制御している。また制御手段１１は再生加熱時間７への通電時間Ｔ２、通電容量Ｗ１の両方を徐々に減少するように設けられている。吸着・再生経路切換弁１０は、モータ・電磁石等の駆動源と仕切り板とによって構成している。また送風手段４は、ファン・モータ及びケーシングによって構成している。
【００１０】
以下、本実施例の動作について説明する。室内の湿度が高い間は使用者は除湿運転を行う。この除湿運転は、吸気口３から吸気した室内の多湿の空気を、吸着材６を通過させることによって乾燥空気として第１の排気管８から室内に戻しているものである。すなわち、除湿運転の開始時に例えば吸着モード運転を実行する設定としている場合には、吸着・再生経路切換弁１０を第１の排気管８を開とするイ側にセットし、この状態で送風手段４を運転する。送風手段４が送風する多湿の室内空気は、吸着材６を通過する際にその水分を奪われて乾燥し、同時に吸着材６から吸着熱を受けて温風となって、第１の排気管８から室内に戻される。このため室内の多湿の空気は乾燥した低湿の空気に置き換えられる。この吸着モードでの運転を図２に示している時間Ｔ１の間継続すると、制御手段１１は吸着材６を活性化する再生モード運転を時間Ｔ２行うものである。このとき制御手段１１は、吸着・再生経路切換弁１０を第２の排気管９を開とするロ側にセットし、再生加熱手段７を所定の通電容量Ｗ１で通電するものである。このため送風手段４が送風する空気は、再生加熱手段７によって加熱され高温となって、吸着材６内を通過する。吸着材６は、この高温の空気との接触によって吸着していた水分を放出するものである。このため、吸着材６は活性化されて吸着能力を回復する。吸着材６から脱離した水分を含んで多湿となった空気は、第２の排気管９から機外に放出される。この再生モード運転を所定時間Ｔ２継続すると、制御手段１１は再生加熱手段７への通電を終了し、吸着再生経路切換弁１０をイ側にセットして、再び吸着モードの運転を実行するものである。尚、吸着モードの運転時間Ｔ１、再生加熱手段７への通電時間Ｔ２及び通電容量Ｗ１はそれぞれ除湿運転開始時に最適となるように設けられている。このように吸着モード・再生モードの運転を繰り返すことによって、室内の除湿乾燥が進行するものである。
【００１１】
上述の運転によって室内空気の湿度が徐々に下がってくるため、当然室内空気の絶対湿度も低下してくるものである。そこで本実施例では、制御手段１１が実行する再生モード運転の運転条件を時間の経過と共に変更するようにしているものである。つまり、図２に示しているように、除湿運転を実行してからの時間の経過と共に、再生加熱手段７の通電時間Ｔ２を短縮し、かつ再生加熱手段７の通電容量Ｗ１を減少しているものである。
【００１２】
尚、時間当たりの除湿能力は、吸着モードの運転時間Ｔ１を短くするか、あるいは再生加熱手段７への通電時間Ｔ２を長くしても低下するが、本体１内の温度が上昇するためあまり好ましくないものである。本実施例では、制御手段１１が除湿運転中に再生加熱手段７への通電時間Ｔ２または通電容量Ｗ１またはこの両方を減少させるようにプログラムされているため、耐久力があり、再生加熱手段７への通電容量または通電時間も時間の経過と共に徐々に減少する効率の良い除湿装置が提供できる。
【００１３】
また本実施例においては、再生モードでの運転時間Ｔ２と再生加熱手段７への通電時間Ｔ２とを同一の時間としているが、異なった時間設定としてももちろんかまわない。更に本実施例では、制御手段１１が除湿運転中に再生加熱手段７への通電時間Ｔ２を徐々に減少させるように設定しているが、通電時間Ｔ２は吸着モードでの運転時間Ｔ１との相対的なものであり、通電時間Ｔ２を短くする代わりに、吸着モードでの運転時間Ｔ１を長くしてもかまわないものである。
【００１４】
以上のように本実施例によれば、制御手段１１が湿運転中に再生加熱手段７への通電時間または通電容量またはこの両方を徐々に減少させるようにして、効率的な運転ができる除湿装置としている。また、吸着材６は吸着・再生モード１回あたりに吸脱着する水分量が少ないほど耐久寿命は長くなるものである。従って本実施例とすることによって、吸着材６の耐久寿命を長くすることも可能である。
【００１５】
（実施例２）
続いて本発明の第２の実施例について説明する。図３は本実施例の構成を示す側断面図である。本実施例では、第１の制御手段１３と第１の検知手段１２を使用している。第１の検知手段１２は、室内空気の温湿度を検知しているものである。第１の制御手段１３は、第１の検知手段１２の検知温湿度に応じて再生加熱手段７への通電を制御するとともに、吸着・再生経路切換弁１０等を制御している。
【００１６】
この再生加熱手段１２に対する制御は、除湿運転の開始時に第１の検知手段１２の検知温湿度に応じて通電時間Ｔ２、通電容量Ｗ１の初期値を設定し、除湿運転に入って所定の時間が経過した段階では、第１の検知手段１２の検知温湿度に応じて前記設定した初期値である再生加熱手段７への通電時間Ｔ２または通電容量Ｗ１またはこの両方を徐々に減少させている。また、第１の検知手段１２の検知温度湿度があらかじめ設定した条件を満足した場合には、除湿運転を終了するようにしているものである。
【００１７】
以上のように本実施例によれば、室内空気の温湿度の変化に合わせた効率の良い運転が行えると共に、第１の検知手段１２によって室内空気の温湿度を常に検知しているため、除湿運転の自動終了も可能となるものである。
【００１８】
（実施例３）
次に本発明の第３の実施例について説明する。図４は本実施例の構成を示す側断面図である。本実施例では、室内空気の温湿度を検知第１の検知手段１２と、吸着材６を通過した後の空気の温湿度を検知する第２の検知手段１４と、第２の制御手段１５を備えている。第２の制御手段１５は、除湿運転の開始時は第１の検知手段１２の検知温湿度に応じて再生加熱手段７への通電時間Ｔ２、通電容量Ｗ１の初期値を決めており、除湿運転に入って所定の時間が経過した段階では、第１の検知手段１２と第２の検知手段１４の両方の検知温湿度に応じて前記設定した初期値である再生加熱手段７への通電時間Ｔ２または通電容量Ｗ１またはこの両方を徐々に減少させている。
【００１９】
次に本実施例の動作について説明する。除湿運転を実行するにつれて室内の空気の絶対湿度は低下してくる。このため、再生加熱手段７を通電する再生モード運転で、通電時間Ｔ２、通電容量Ｗ１を一定にしておいた場合は、送風経路５内の温度が上昇してくるものである。このため前記実施例２では、室内空気の温湿度を検知する第１の検知手段１２の検知温湿度に応じて通電時間Ｔ２または通電容量Ｗ１またはこの両方を徐々に下げるようにしているものである。このため、通常は送風経路５内の温度が急上昇することはない。しかし室内空気の温湿度の低下速度が通電時間Ｔ２または通電容量Ｗ１またはこの両方の低下速度を上回ったような場合には、送風経路５内の温度は徐々に上昇するものである。送風経路５内には各種の電気部品が搭載されており、これらの電気部品にとって周囲温度が上昇することは好ましいものではない。この点本実施例では、特に除湿運転中は第１の検知手段１２と第２の検知手段１４の両方の検知温湿度を使用して、再生加熱手段７への通電時間Ｔ２または通電容量Ｗ１またはこの両方を徐々に減少させるようにしているものである。特に第２の検知手段１４は、常に吸着材６を通過した後の空気の温湿度を検知しているものであり、部品の故障等の異常による送風経路５内の異常な温度上昇も検知している。つまり、安全装置の機能も果たしているものである。
【００２０】
以上のように本実施例によれば、除湿運転の開始時は第１の検知手段１２の検知温湿度に応じて再生加熱手段７への通電時間Ｔ２、通電容量Ｗ１の初期値を決定し、除湿運転に入って所定の時間が経過した段階では、第１の検知手段１２と第２の検知手段１４の両方の検知温湿度に応じて前記設定した初期値である再生加熱手段７への通電時間Ｔ２または通電容量Ｗ１またはこの両方を徐々に減少させる構成としているため、除湿装置内の温度上昇にも対応した安全で効率的な除湿装置を実現できるものである。
【００２１】
【発明の効果】
請求項１に記載した発明は、室内の空気を吸気口から吸引して送風する送風手段と、送風手段が送風する送風経路中に設けた吸着材と、吸着材を再生加熱する再生加熱手段と、乾燥空気を室内に戻す第１の排気管と、再生加熱時の多湿の空気を機外に放出する第２の排気管と、前記吸着材通過後の空気を、吸着モード時には前記第１の排気管に、再生モード時には前記第２の排気管にそれぞれ切り換える吸着・再生経路切換弁と、制御手段とを備え、前記制御手段は、複数の吸着モードと再生モードを繰り返す除湿運転中に、前記再生加熱手段への通電時間または通電容量またはこの両方を複数の再生モード時毎に徐々に減少させる構成としたから、再生加熱手段への通電容量・時間を、室内空気の温湿度の変化に応じて制御でき、効率的な運転が可能で、吸着材の耐久性も向上できる除湿装置を実現することができる。
【００２２】
請求項２に記載した発明は、室内空気の温湿度を検知する第１の検知手段を備え、制御手段は、除湿運転の開始時は前記第１の検知手段の検知温湿度に応じて再生加熱手段への通電時間・通電容量の初期値を決めると共に、除湿運転中には前記第１の検知手段の検知温湿度に応じて再生加熱手段への通電時間または通電容量またはこの両方を徐々に減少させる構成としたから、室内空気の温湿度に合わせた効率の良い運転が行え、さらに除湿運転の自動終了も可能な、性能の高い除湿装置を実現することができる。
【００２３】
請求項３に記載した発明は、室内空気の温湿度を検知する第１の検知手段と、吸着材を通過した後の空気の温湿度を検知する第２の検知手段を備え、制御手段は、除湿運転の開始時は前記第１の検知手段の検知温湿度に応じて再生加熱手段への通電時間・通電容量の初期値を決めると共に、除湿運転中には前記第１の検知手段と前記第２の検知手段の両方の検知温湿度に応じて前記再生加熱手段への通電時間または通電容量またはこの両方を徐々に減少させる構成としたから、除湿装置内の温度上昇にも対応した安全で効率的な除湿装置を実現することができる。
【図面の簡単な説明】
【図１】  本発明の第１の実施例である除湿装置の構成を示す側断面図
【図２】  同、制御手段が有している制御プログラムの一部を示すタイムチャート
【図３】  本発明の第２の実施例である除湿装置の構成を示す側断面図
【図４】  本発明の第３の実施例である除湿装置の構成を示す側断面図
【符号の説明】
３  吸気口
４  送風手段
５  送風経路
６  吸着材
７  再生加熱手段
８  第１の排気管
９  第２の排気管
１０  吸着・再生経路切換弁
１１  制御手段
１２  第１の検知手段
１３  第１の制御手段
１４  第２の検知手段
１５  第２の制御手段
【図１】
0003702586.tif 000002
【図２】
0003702586.tif 000003
【図３】
0003702586.tif 000004
【図４】
0003702586.tif 000005